(57)【要約】  タッチパネル装置は、操作面（２１）においてタッチ操作が行われた領域の状態を変化させるタッチパネル（２０）と、操作面（２１）に加えられた押圧力（Ｆｐ）に応じた圧力検出信号を出力する圧力センサ部（３０）と、タッチパネル（２０）の前記状態に基づいて操作面（２１）におけるタッチ操作の座標を算出する制御部（１００）とを備え、制御部（１００）は、第１のタッチ操作が行われた場合、第１のタッチ操作に対応する第１の操作情報を有効と判定し、第２のタッチ操作が行われたときに圧力検出信号が示す押圧力の押圧値（Ｆｐ）が予め定められた閾値押圧力（ＴｈＦ）より大きい場合、第２のタッチ操作に対応する第２の操作情報を有効と判定し、第２のタッチ操作が行われたときに押圧値（Ｆｐ）が閾値押圧力（ＴｈＦ）以下である場合、第２の操作情報を無効と判定する。
2019150475.tif 000002
【特許請求の範囲】
【請求項１】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定する
ことを特徴とするタッチパネル装置。
【請求項２】
前記操作部品は、スライドバーを有し、
前記スライドバーは、長手方向が入力値に対応するバー部分と、前記バー部分に沿って移動するスライダとを有し、
前記バー部分は、１段目部分と、２段目部分とを有し、
前記制御部は、前記１段目部分と前記２段目部分との間の境界値の位置において前記スライダを前記閾値押圧力より大きい押圧値の押圧力で押圧したときに前記第２のタッチ操作に対応する前記第２の操作情報を有効と判定する
ことを特徴とする請求項１に記載のタッチパネル装置。
【請求項３】
前記操作部品は、スライドバーを有し、
前記スライドバーは、長手方向が入力値に対応するバー部分と、前記バー部分に沿って移動するスライダとを有し、
前記バー部分は、１段目部分と、２段目部分とを有し、
前記１段目部分と前記２段目部分とは、前記長手方向に直交する方向にずれて配置されており、
前記制御部は、前記１段目部分と前記２段目部分との間の境界値の位置において前記スライダを前記閾値押圧力より大きい押圧値の押圧力で押圧し且つ前記長手方向に直交する方向にスライドする第２のタッチ操作が行われたときに、前記第２のタッチ操作に対応する前記第２の操作情報を有効と判定する
ことを特徴とする請求項１に記載のタッチパネル装置。
【請求項４】
前記操作部品は、スライドバーを有し、
前記スライドバーは、長手方向が入力値に対応するバー部分と、前記バー部分に沿って移動するスライダとを有し、
前記バー部分は、１段目部分と、２段目部分とを有し、
前記操作部品は、前記１段目部分と前記２段目部分との間の境界値の位置の周囲に配置された固定領域をさらに有し、
前記制御部は、前記固定領域をタッチした状態で、前記スライダを前記閾値押圧力より大きい押圧値の押圧力で押圧して前記第２のタッチ操作が行われたときに、前記第２のタッチ操作に対応する前記第２の操作情報を有効と判定する
ことを特徴とする請求項１に記載のタッチパネル装置。
【請求項５】
前記制御部は、前記スライドバーの操作を不能とする施錠状態と、前記スライドバーの操作を許可する解除状態とを有する
ことを特徴とする請求項２から４のいずれか１項に記載のタッチパネル装置。
【請求項６】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第２の増加ボタン又は前記第２の減少ボタンを、前記閾値押圧力より大きい押圧値の押圧力で押圧して前記第２のタッチ操作が行われたときに、前記第２のタッチ操作に対応する前記第２の操作情報を有効と判定する
ことを特徴とする請求項１に記載のタッチパネル装置。
【請求項７】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第１の増加ボタンを前記閾値押圧力より大きい押圧値の押圧力で押圧して前記第１のタッチ操作が行われたときに、前記第２の増加ボタンを表示させ、前記第１の減少ボタンを、前記閾値押圧力より大きい押圧値の押圧力で押圧して前記第１のタッチ操作が行われたときに、前記第２の減少ボタンを表示させ、
前記第２の増加ボタン又は前記第２の減少ボタンを、前記閾値押圧力より大きい押圧値の押圧力で押圧して前記第２のタッチ操作が行われたときに、前記第２のタッチ操作に対応する前記第２の操作情報を有効と判定する
ことを特徴とする請求項１に記載のタッチパネル装置。
【請求項８】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第１の増加ボタンを前記閾値押圧力より大きい押圧値の押圧力で押圧して前記第１のタッチ操作が行われたときに、前記第２の増加ボタンを表示させ、前記第１の減少ボタンを、前記閾値押圧力より大きい押圧値の押圧力で押圧して前記第１のタッチ操作が行われたときに、前記第２の減少ボタンを表示させ、
前記閾値押圧力より大きい押圧値の押圧力で、前記第１の増加ボタンから前記第２の増加ボタンに向かうスワイプ操作又は前記第１の減少ボタンから前記第２の減少ボタンに向かうスワイプ操作が行われたときに、前記スワイプ操作である前記第２のタッチ操作に対応する前記第２の操作情報を有効と判定する
ことを特徴とする請求項１に記載のタッチパネル装置。
【請求項９】
前記操作部品は、回転操作が行われるダイヤルボタンを有し、
前記制御部は、前記ダイヤルボタンを前記閾値押圧力より大きい押圧値の押圧力で押圧しながら回転させて前記第２のタッチ操作が行われたときに、前記第２のタッチ操作に対応する前記第２の操作情報を有効と判定する
ことを特徴とする請求項１に記載のタッチパネル装置。
【請求項１０】
前記操作部品は、複数の指で回転操作が行われるバルブを有し、
前記バルブは、初期位置を有し、
前記初期位置から一定回数の回転までの操作が前記第２のタッチ操作であり、前記一定回数以降の回転以前の操作が前記第１のタッチ操作であり、
前記制御部は、前記バルブを前記閾値押圧力より大きい押圧値の押圧力で押圧しながら回転させて前記第２のタッチ操作が行われたときに、前記第２のタッチ操作に対応する前記第２の操作情報を有効と判定する
ことを特徴とする請求項１に記載のタッチパネル装置。
【請求項１１】
前記操作部品は、第１の位置と第２の位置の間で切り替わるレバーを有し、
前記制御部は、前記レバーを前記閾値押圧力より大きい押圧値の押圧力で押圧しながらスライドさせて前記第２のタッチ操作が行われたときに、又は、前記レバーを前記閾値押圧力より大きい押圧値の押圧力で押圧しながらスライドさせる操作を予め定められた規定回数行ったときに、前記第２のタッチ操作に対応する前記第２の操作情報を有効と判定する
ことを特徴とする請求項１に記載のタッチパネル装置。
【請求項１２】
前記操作部品は、入状態と切状態の間で切り替わるブレーカスイッチを有し、
前記制御部は、前記ブレーカスイッチを前記閾値押圧力より大きい押圧値の押圧力で押圧しながら前記切状態から前記入状態にスライドさせて前記第２のタッチ操作が行われたときに、又は、前記ブレーカスイッチを前記閾値押圧力より大きい押圧値の押圧力で押圧しながら前記切状態から前記入状態にスライドさせる操作を予め定められた規定回数行ったときに、前記第２のタッチ操作に対応する前記第２の操作情報を有効と判定する
ことを特徴とする請求項１に記載のタッチパネル装置。
【請求項１３】
前記入状態から前記切状態にスライドさせる操作は、前記第１のタッチ操作である
ことを特徴とする請求項１２に記載のタッチパネル装置。
【請求項１４】
前記操作部品は、前記ブレーカスイッチを囲い、閉位置と開位置との間でスライドするカバーをさらに有し、
前記制御部は、前記カバーが開位置のときに限り、前記ブレーカスイッチの操作を許可する
ことを特徴とする請求項１２又は１３に記載のタッチパネル装置。
【発明の詳細な説明】
【技術分野】
【０００１】
本発明は、タッチパネルを備えたタッチパネル装置に関する。
【背景技術】
【０００２】
画面に表示されるスライドバーのスライダを、入力ペンのペン先でなぞるドラッグ操作によって、スライダをレール部分（すなわち、バー部分）に沿って移動させるユーザインタフェース（ＵＩ）装置の提案がある（例えば、特許文献１参照）。この装置では、１段目のレール部分におけるスライダの移動から２段目のレール部分におけるスライダの移動に切り替えるときに、レール部分の間の境界領域で、ドラッグ操作を停止させたまま一定時間以上スライダを選択し続ける操作が必要である。
【先行技術文献】
【特許文献】
【０００３】
【特許文献１】特開２００６−３２３４９２号公報（例えば、段落００２４〜００２５、図９）
【発明の概要】
【発明が解決しようとする課題】
【０００４】
上記装置における２段目のレール部分における入力は、ドラッグ操作を停止させたまま一定時間以上スライダを選択し続けるという一定の条件が満たされた後に許可される制限付き入力操作である。しかしながら、実際の操作時に、境界領域におけるドラッグ操作が停止され、偶然に前記一定の条件が満たされることが起こり得る。このため、偶然に２段目のレール部分における入力操作が許可され（すなわち、制限が解除され）、操作者の意に反して２段目のレール部分における制限付き入力操作が行われる誤操作が発生し得る。【０００５】
本発明は、上記従来技術の課題を解決するためになされたものであり、制限付き入力操作である第２のタッチ操作が操作者の意に反して行われる誤操作の発生を回避することができるタッチパネル装置を提供することを目的とする。
【課題を解決するための手段】
【０００６】
本発明の一態様に係るタッチパネル装置は、操作面を有し、前記操作面においてタッチ操作が行われた領域の状態を変化させるタッチパネルと、前記操作面に加えられた押圧力に応じた圧力検出信号を出力する圧力センサ部と、前記タッチパネルの前記状態に基づいて前記操作面における前記タッチ操作の座標を算出する制御部と、を備え、前記タッチ操作は、前記操作面に表示される第１の操作部品を用いる第１のタッチ操作と、前記操作面に表示される第２の操作部品を用いる第２のタッチ操作とを含み、前記制御部は、前記第１のタッチ操作が行われた場合、前記第１のタッチ操作に対応する第１の操作情報を有効と判定し、前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、前記第２のタッチ操作が行われたときに前記押圧値が前記閾値押圧力以下である場合、前記第２の操作情報を無効と判定することを特徴とする。
【発明の効果】
【０００７】
本発明によれば、制限付き入力操作である第２のタッチ操作が操作者の意に反して行われる誤操作の発生を回避することができる。
【図面の簡単な説明】
【０００８】
【図１】本発明の実施の形態１に係るタッチパネル装置のハードウェア構成の例を示す図である。
【図２】実施の形態１に係るタッチパネル装置の構造の例を概略的に示す斜視図である。
【図３】実施の形態１に係るタッチパネル装置を概略的に示す機能ブロック図である。
【図４】実施の形態１に係るタッチパネル装置のタッチパネルの操作面に表示されるスライドバーを示す図である。
【図５】実施の形態１に係るタッチパネル装置のタッチパネルの操作面に表示される多段スライドバーを用いたタッチ操作を示す図（その１）である。
【図６】実施の形態１に係るタッチパネル装置のタッチパネルの操作面に表示される多段スライドバーを用いたタッチ操作を示す図（その２）である。
【図７】実施の形態１に係るタッチパネル装置の動作を示すフローチャートである。
【図８】（ａ）及び（ｂ）は、本発明の実施の形態２に係るタッチパネル装置のタッチパネルの操作面に表示される多段スライドバーを用いたタッチ操作を示す図である。
【図９】実施の形態２に係るタッチパネル装置の動作を示すフローチャートである。
【図１０】本発明の実施の形態３に係るタッチパネル装置のタッチパネルの操作面に表示される多段スライドバーを用いたタッチ操作を示す図（その１）である。
【図１１】実施の形態３に係るタッチパネル装置のタッチパネルの操作面に表示される多段スライドバーを用いたタッチ操作を示す図（その２）である。
【図１２】実施の形態３に係るタッチパネル装置の動作を示すフローチャートである。
【図１３】（ａ）及び（ｂ）は、本発明の実施の形態４に係るタッチパネル装置のタッチパネルの操作面に表示される数値入力部品を用いたタッチ操作を示す図である。
【図１４】実施の形態４に係るタッチパネル装置の動作を示すフローチャートである。
【図１５】（ａ）から（ｄ）は、本発明の実施の形態５に係るタッチパネル装置のタッチパネルの操作面に表示される数値入力部品を用いたタッチ操作を示す図である。
【図１６】実施の形態５に係るタッチパネル装置の動作を示すフローチャートである。
【図１７】（ａ）から（ｃ）は、本発明の実施の形態６に係るタッチパネル装置のタッチパネルの操作面に表示される数値入力部品を用いたタッチ操作を示す図である。
【図１８】実施の形態６に係るタッチパネル装置の動作を示すフローチャートである。
【図１９】（ａ）及び（ｂ）は、本発明の実施の形態７に係るタッチパネル装置のタッチパネルの操作面に表示されるスライドバーを用いたタッチ操作を示す図である。
【図２０】実施の形態７に係るタッチパネル装置の動作を示すフローチャートである。
【図２１】本発明の実施の形態８に係るタッチパネル装置のタッチパネルの操作面に表示されるダイヤルボタン８１０を用いたタッチ操作を示す図である。
【図２２】実施の形態８に係るタッチパネル装置のタッチパネルの操作面に表示されるダイヤルボタン８１０を用いたタッチ操作を示す図である。
【図２３】実施の形態８に係るタッチパネル装置の動作を示すフローチャートである。
【図２４】本発明の実施の形態９に係るタッチパネル装置のタッチパネルの操作面に表示されるバルブを用いたタッチ操作を示す図である。
【図２５】実施の形態９に係るタッチパネル装置の動作を示すフローチャートである。
【図２６】（ａ）及び（ｂ）は、本発明の実施の形態１０に係るタッチパネル装置のタッチパネルの操作面に表示されるレバーを用いたタッチ操作を示す図である。
【図２７】実施の形態１０に係るタッチパネル装置の動作を示すフローチャートである。
【図２８】実施の形態１０の変形例に係るタッチパネル装置の動作を示すフローチャートである。
【図２９】（ａ）及び（ｂ）は、本発明の実施の形態１１に係るタッチパネル装置のタッチパネルの操作面に表示されるブレーカスイッチを用いたタッチ操作を示す図である。
【図３０】実施の形態１１に係るタッチパネル装置の動作を示すフローチャートである。
【図３１】実施の形態１１の変形例に係るタッチパネル装置の動作を示すフローチャートである。
【図３２】本発明の実施の形態１２に係るタッチパネル装置のタッチパネルの操作面に表示されるカバー付きブレーカスイッチを用いたタッチ操作を示す図である。
【図３３】実施の形態１２に係るタッチパネル装置の動作を示すフローチャートである。
【発明を実施するための形態】
【０００９】
以下に、本発明の実施の形態に係るタッチパネル装置を、添付図面を参照しながら説明する。以下の実施の形態は、例にすぎず、本発明の範囲内で種々の変更が可能である。
【００１０】
《１》実施の形態１．
図１は、実施の形態１に係るタッチパネル装置１のハードウェア構成の例を示す図である。図１に示されるように、タッチパネル装置１は、操作面においてタッチ操作が行われた領域の状態を変化させるタッチパネル２０と、操作面に加えられた押圧力に応じた圧力検出信号を出力する圧力センサ部３０と、タッチパネル２０の前記状態に基づいて操作面におけるタッチ操作の座標を算出する制御部１００とを有する。実施の形態１において、タッチパネル２０は、操作面における導体の接触領域の静電容量が変化する静電容量方式のタッチパネルである。タッチパネル２０は、タッチ操作（「タッチジェスチャ操作」又は「タッチ入力操作」とも言う。）が行われる操作面に重ねて配置され、操作部品（例えば、アイコン）などのユーザインタフェース（ＵＩ）画像を表示するディスプレイを有する。タッチパネル装置１は、タッチ操作の結果に基づく情報を表示する表示器５０を備えてもよい。
【００１１】
制御部１００は、例えば、情報処理部としてのプロセッサ４１と、情報を記憶する記憶部としてのメモリ４２とを有する。プロセッサ４１は、メモリ４２に記憶されているプログラムを実行することにより、タッチパネル装置１の全体の動作を制御する。制御部１００の全体又は一部は、半導体集積回路からなる制御回路である「Ｓｙｓｔｅｍ  Ｏｎ  Ｃｈｉｐ」などで構成されてもよい。メモリ４２は、半導体記憶装置、ハードディスク装置、取り出し可能な記録媒体に情報を記録する装置などの各種の記憶装置を含むことができる。メモリ４２は、タッチパネル２０から取得した導体接触情報、圧力センサ部３０から取得した圧力情報を記憶してもよい。
【００１２】
制御部１００は、タッチパネル２０の操作面で入力されたタッチ操作に対応する処理を行う。具体的に言えば、制御部１００は、タッチパネル２０の操作面で入力されたタッチ操作に対応する静電容量の変化と、操作面に加えられる押圧力に対応して圧力センサ部３０から出力される圧力検出信号とに基づく処理を行う。例えば、制御部１００は、タッチパネル２０の操作面で入力されたタッチ操作に対応する操作信号を、タッチパネル装置１に接続された他の機器又はタッチパネル装置１と通信可能な他の機器に送信する。他の機器は、操作対象機器であり、例えば、生産設備、車両、又は家電機器などの外部機器である。
【００１３】
図２は、タッチパネル装置１の構造の例を概略的に示す斜視図である。図２に示されるように、タッチパネル装置１は、基板６０と、タッチパネル２０を基板６０上に支持する４つの圧力センサ３０ａ，３０ｂ，３０ｃ，３０ｄとを有する。基板６０は、タッチパネル装置１の筐体の一部であってもよい。また、図２では、制御部１００をタッチパネル１０の外側に描いているが、制御部１００は基板６０の一部又は基板６０に搭載された回路基板の一部であってもよい。図２では、圧力センサ３０ａ，３０ｂ，３０ｃ，３０ｄが、平面形状が四角形であるタッチパネル２０の４つの角部をそれぞれ支持している。図２における圧力センサ３０ａ，３０ｂ，３０ｃ，３０ｄは、図１の圧力センサ部３０を構成する。なお、圧力センサ３０ａ，３０ｂ，３０ｃ，３０ｄは、タッチパネル２０の角部以外の位置を支持してもよい。また、タッチパネル２０の平面形状は、四角形以外の形状であってもよい。さらに、タッチパネル２０を支持する圧力センサの個数は、３個以下又は５個以上とすることも可能である。
【００１４】
図２に示されるように、タッチパネル２０は、操作者によってタッチ操作される操作面２１を有する。操作面２１に導体（すなわち、導電性の物体）が接触しているときには、導体の接触領域の静電容量が変化する。導体は、例えば、操作者の指８０又は導体からなるタッチペンなどの操作補助具である。制御部１００は、操作面２１の各位置における静電容量を検出し、導体接触領域の位置（すなわち、操作面２１における二次元座標）を取得する。すなわち、制御部１００は、タッチパネル２０の操作面２１の各位置における静電容量に基づいて操作面２１における導体接触領域の位置を示すタッチ位置座標を算出する。導体接触領域は、例えば、静電容量が予め定められた閾値容量ＴｈＣより大きい領域である。導体接触領域は、「静電容量変化領域」である。導体接触領域の位置を示すタッチ位置座標は、「静電容量座標」とも言う。
【００１５】
タッチパネル２０の操作面２１に加えられた押圧力は、圧力センサ３０ａ，３０ｂ，３０ｃ，３０ｄによって検出される。圧力センサ３０ａ，３０ｂ，３０ｃ，３０ｄは、操作面２１に加えられた押圧力の大きさである押圧値Ｆｐと押圧位置とに応じた圧力値Ｆａ，Ｆｂ，Ｆｃ，Ｆｄを示す圧力検出信号を出力する。制御部１００は、圧力センサ３０ａ，３０ｂ，３０ｃ，３０ｄから出力される圧力検出信号が示す圧力値Ｆａ，Ｆｂ，Ｆｃ，Ｆｄに基づいて押圧値Ｆｐを算出することができる。また、制御部１００は、圧力値Ｆａ，Ｆｂ，Ｆｃ，Ｆｄから操作面２１における押圧位置を示すタッチ位置座標を算出することができる。圧力値Ｆａ，Ｆｂ，Ｆｃ，Ｆｄから算出されたタッチ位置座標は、「圧力座標」とも言う。
【００１６】
図３は、実施の形態１に係るタッチパネル装置１を概略的に示す機能ブロック図である。図３において、図１に示される構成要素と同一又は対応する構成要素には、図１に示される符号と同じ符号が付される。図３に示されるように、制御部１００は、座標検出部１１０、圧力検出部１２０、操作判定部１３０、及び、記憶部を含む操作許可圧力設定部１４０を有する。
【００１７】
タッチパネル２０の操作面２１には、操作部品（「操作オブジェクト」とも言う）が表示される。タッチ操作は、操作面２１に表示される操作部品を用いる操作である。実施の形態１において、操作部品は、タッチパネル２０の操作面２１に表示されるスライドバーである。表示されるスライドバーは、棒状のバー部分（すなわち、レール部分）とバー部分に沿って移動する移動部品であるスライダとを有する。バー部分の長手方向は入力値に対応する。
【００１８】
座標検出部１１０は、タッチパネル２０の操作面２１の各位置における静電容量を検出することで、操作面２１への導体の接触の有無を検出する。座標検出部１１０は、静電容量の検出値が予め定められた閾値容量ＴｈＣより大きい領域である導体接触領域の座標であるタッチ位置座標を算出する。座標検出部１１０は、タッチ位置座標を操作判定部１３０に提供する。
【００１９】
圧力検出部１２０は、圧力センサ部３０を構成する圧力センサ３０ａ，３０ｂ，３０ｃ，３０ｄから出力される圧力検出信号を受け取り、圧力検出信号が示す圧力値Ｆａ，Ｆｂ，Ｆｃ，Ｆｄを操作判定部１３０に提供する。
【００２０】
操作判定部１３０は、操作許可圧力設定部１４０に格納されたデータを用いて、タッチ操作によって入力された操作情報を判定する。操作許可圧力設定部１４０に格納したデータは、例えば、閾値押圧力ＴｈＦと、スライドバー及びスライダなどの操作部品の座標とを含む。
【００２１】
実施の形態１では、タッチ操作は、操作面２１に表示される第１の操作部品を用いる第１のタッチ操作と、操作面２１に表示される第２の操作部品を用いる第２のタッチ操作とを有する。実施の形態１では、第１の操作部品は、スライドバーの通常入力範囲（図４における２３１，２１１など）の部分（例えば、１段目部分）であり、第２の操作部品は、スライドバーの制限付き入力範囲（図４における２１２など）の部分（例えば、１段目部分）である。
【００２２】
第１のタッチ操作は、通常のタッチ操作である。操作判定部１３０は、第１のタッチ操作が行われた場合、第１のタッチ操作に対応する第１の操作情報を有効と判定し、操作部品の表示を更新したり（例えば、スライドバーにおいてスライダを移動させたり）、操作対象機器に操作信号を出力したりする。
【００２３】
第２のタッチ操作は、制限付きのタッチ操作である。操作判定部１３０は、第２のタッチ操作が行われたときに圧力検出信号が示す押圧力の押圧値Ｆｐが予め定められた閾値押圧力ＴｈＦより大きい場合、第２のタッチ操作に対応する第２の操作情報を有効と判定し、操作対象機器に出力する。操作判定部１３０は、第２のタッチ操作が行われたときに押圧値Ｆｐが閾値押圧力ＴｈＦ以下である場合、第２の操作情報を無効と判定して、操作対象機器に出力しない。
【００２４】
図４は、実施の形態１に係るタッチパネル装置１のタッチパネル２０の操作面２１に表示されるスライドバーを示す図である。図４には、通常スライドバー２３０と多段スライドバー２１０が示されている。図４の例では、操作者は、指８０でスライダ２２０，２４０を上又は下に移動させることで、スライダ２２０，２４０の位置に応じた値を入力することができる。
【００２５】
図４において、左側のスライドバーは、通常スライドバー２３０であり、入力範囲の境界値が設定されていないスライドバーである。したがって、通常スライドバー２３０のバー部分の全範囲が、通常入力範囲２３１である。操作者は、指８０で、通常入力範囲２３１内の全域でスライダ２４０を自由に移動させることができる。
【００２６】
図４において、右側のスライドバーは、多段スライドバー２１０であり、入力範囲の境界値２１３が設定されているスライドバーである。多段スライドバー２１０における境界値２１３の下側の１段目部分は、通常入力範囲２１１である。多段スライドバー２１０における境界値２１３の上側の２段目部分は、制限付き入力範囲２１２である。操作者は、指８０で、通常入力範囲２１１内においてスライダ２２０を自由に移動させることができる。通常入力範囲２１１内におけるタッチ操作は、第１のタッチ操作である。しかし、操作者は、予め決められた制限解除操作を行った場合（すなわち、予め決められた制限解除操作を行った後又は予め決められた制限解除操作を行いながら）、制限付き入力範囲２１２内においてスライダ２２０を移動させることができる。制限付き入力範囲２１２内におけるタッチ操作は、第２のタッチ操作である。
【００２７】
図５及び図６は、実施の形態１に係るタッチパネル装置１における多段スライドバー２１０を用いたタッチ操作を示す図（その１及び２）である。図５に示されるように、操作者が、指８０で、操作面２１に対して閾値押圧力ＴｈＦ以下の押圧値Ｆｐの押圧力でスライダ２２０を上に移動させた場合、スライダ２２０は境界値２１３の位置（すなわち、通常入力範囲２１１の上限値の位置）で停止する。図６に示されるように、操作者が、指８０で、操作面２１に対して閾値押圧力ＴｈＦより大きい押圧値Ｆｐの押圧力でスライダ２２０を上に移動させた場合、スライダ２２０は境界値２１３の位置を通過することができ、制限付き入力範囲２１２内を移動することができる。
【００２８】
図７は、実施の形態１に係るタッチパネル装置１の動作を示すフローチャートである。図７に示されるシーケンスがスタートすると、ステップＳ１０１において、圧力検出部１２０は、初期化され、ステップＳ１０２において、操作許可圧力設定部１４０は、第２のタッチ操作の操作許可圧力である閾値押圧力ＴｈＦを設定する。次のステップＳ１０３において、操作判定部１３０は、タッチ操作の位置座標（ｘ，ｙ）とタッチ操作の押圧力の押圧値Ｆｐを取得する。
【００２９】
次のステップＳ１０４において、操作判定部１３０は、押圧値Ｆｐが閾値押圧力ＴｈＦより大きいか否かを判定する。
【００３０】
ステップＳ１０４における判定の結果がＮＯである場合、ステップＳ１０５において、操作判定部１３０は、タッチ操作が１段目部分である通常入力範囲２１１内における操作であるか否かを判定する。
【００３１】
ステップＳ１０５における判定の結果がＮＯである場合、ステップＳ１０７において、操作判定部１３０は、スライドバー２１０の表示更新（例えば、図６の制限付き入力範囲２１２内におけるスライダ２２０の移動）を行わない。ステップＳ１０５における判定の結果がＹＥＳである場合、ステップＳ１０６において、操作判定部１３０は、スライドバー２１０の表示更新（例えば、図５の通常入力範囲２１１内におけるスライダ２２０の移動）を行う。
【００３２】
ステップＳ１０４における判定の結果がＹＥＳである場合、ステップＳ１０８において、操作判定部１３０は、タッチ操作が２段目部分の範囲（すなわち、図６における制限付き入力範囲２１２）内における操作であるか否かを判定する。
【００３３】
ステップＳ１０８における判定の結果がＮＯである場合、ステップＳ１０９において、操作判定部１３０は、スライドバー２１０の表示更新（例えば、図５の通常入力範囲２１１内におけるスライダ２２０の移動）を行う。ステップＳ１０８における判定の結果がＹＥＳである場合、ステップＳ１１０において、操作判定部１３０は、スライドバー２１０の表示更新（例えば、図６の制限付き入力範囲２１２内におけるスライダ２２０の移動）を行う。
【００３４】
以上に説明したように、実施の形態１に係るタッチパネル装置１によれば、閾値押圧力ＴｈＦより大きい押圧値Ｆｐの押圧力によるタッチ操作を制限付き入力範囲２１２内においてスライダ２２０を移動可能とする条件としているので、第２のタッチ操作が操作者の意に反して行われる誤操作の発生を回避することができる。具体的に言えば、操作者が十分に注意を払いながら操作されるべき制限付き入力範囲２１２内における第２のタッチ操作（例えば、ミスが許されない操作、重要度の高い操作）が、操作者が希望していないときに誤って入力されてしまうといった誤入力の発生を回避することができる。
【００３５】
《２》実施の形態２．
実施の形態２に係るタッチパネル装置は、タッチパネル２０の操作面２１に表示される操作部品及びタッチ操作の方法の点において、実施の形態１に係るタッチパネル装置１と相違する。この点以外については、実施の形態２は、実施の形態１と同じである。したがって、実施の形態２の説明においては、図１から図３をも参照する。
【００３６】
図８（ａ）及び（ｂ）は、実施の形態２に係るタッチパネル装置のタッチパネル２０の操作面２１に表示される多段スライドバー２５０を用いたタッチ操作を示す図である。図８（ａ）は、スライドバー２５０の１段目部分である通常入力範囲２５１内におけるタッチ操作である第１のタッチ操作を示す。図８（ｂ）は、スライドバー２５０の２段目部分である制限付き入力範囲２５２内及び境界値２５３におけるタッチ操作である第２のタッチ操作を示す。
【００３７】
図８（ａ）に示されるように、操作者が、指８０で、操作面２１に対して閾値押圧力ＴｈＦ以下の押圧値Ｆｐの押圧力でスライダ２６０を上に移動させた場合、スライダ２６０は境界値２５３の右側の位置（すなわち、通常入力範囲２５１の上限値の位置）又は境界値２５３の左側の位置で停止する。図８（ｂ）に示されるように、操作者が、指８０で、操作面２１に対して閾値押圧力ＴｈＦより大きい押圧値Ｆｐの押圧力を付与した場合、操作者は、スライダ２６０を２段目部分である制限付き入力範囲２５２内において移動させることができる。
【００３８】
図９は、実施の形態２に係るタッチパネル装置の動作を示すフローチャートである。図９に示されるシーケンスがスタートすると、ステップＳ２０１において、圧力検出部１２０は、初期化され、ステップＳ２０２において、操作許可圧力設定部１４０は、第２のタッチ操作の閾値押圧力ＴｈＦを設定する。次のステップＳ２０３において、操作判定部１３０は、タッチ操作の位置座標（ｘ，ｙ）とタッチ操作の押圧力の押圧値Ｆｐを取得する。
【００３９】
次のステップＳ２０４において、操作判定部１３０は、押圧値Ｆｐが閾値押圧力ＴｈＦより大きいか否かを判定する。
【００４０】
ステップＳ２０４における判定の結果がＮＯである場合、ステップＳ２０５において、操作判定部１３０は、タッチ操作が１段目部分の範囲である通常入力範囲２５１内又は境界値の位置における操作であるか否かを判定する。
【００４１】
ステップＳ２０５における判定の結果がＮＯである場合、ステップＳ２０７において、操作判定部１３０は、スライドバー２５０の表示更新を行わない。ステップＳ２０５における判定の結果がＹＥＳである場合、ステップＳ２０６において、操作判定部１３０は、スライドバー２５０の１段目部分における表示更新（例えば、図８（ａ）の通常入力範囲２５１又は境界値２５３の位置におけるスライダ２６０の移動）を行う。
【００４２】
ステップＳ２０４における判定の結果がＹＥＳである場合、ステップＳ２０８において、操作判定部１３０は、タッチ操作が２段目部分の範囲である通常入力範囲２５１内又は境界値の位置における操作であるか否かを判定する。
【００４３】
ステップＳ２０８における判定の結果がＮＯである場合、ステップＳ２０９において、操作判定部１３０は、スライドバー２１０の１段目部分における表示更新（例えば、図８（ｂ）の通常入力範囲２１１内におけるスライダ２２０の移動）を行う。ステップＳ２０８における判定の結果がＹＥＳである場合、ステップＳ２１０において、操作判定部１３０は、スライドバー２１０の２段目部分における表示更新（例えば、図６の制限付き入力範囲２１２内におけるスライダ２２０の移動）を行う。
【００４４】
以上に説明したように、実施の形態２に係るタッチパネル装置によれば、閾値押圧力ＴｈＦより大きい押圧値Ｆｐの押圧力によるタッチ操作を制限付き入力範囲２５２内においてスライダ２６０を移動可能とする条件としているので、第２のタッチ操作が操作者の意に反して行われる誤操作の発生を回避することができる。
【００４５】
《３》実施の形態３．
実施の形態３に係るタッチパネル装置は、タッチパネル２０の操作面２１に表示される操作部品及びタッチ操作の方法の点において、実施の形態１に係るタッチパネル装置１と相違する。この点以外については、実施の形態３は、実施の形態１と同じである。したがって、実施の形態３の説明においては、図１から図３をも参照する。
【００４６】
図１０及び図１１は、実施の形態３に係るタッチパネル装置のタッチパネル２０の操作面２１に表示される多段スライドバー３１０を用いたタッチ操作を示す図である。図１０は、スライドバー３１の１段目部分である通常入力範囲３１１内におけるタッチ操作である第１のタッチ操作を示す。図１１は、スライドバー３１１の２段目部分である制限付き入力範囲３１２内におけるタッチ操作である第２のタッチ操作を示す。実施の形態３においては、タッチパネル２０のスライドバー３１０の境界値３１３の両側に固定領域３１４が表示される。
【００４７】
図１０に示されるように、操作者が、指８０で、操作面２１に対して閾値押圧力ＴｈＦ以下の押圧値Ｆｐの押圧力でスライダ３２０を上に移動させた場合、スライダ３２０は境界値３１３の位置（すなわち、通常入力範囲３１１の上限値の位置）で停止する。図１１に示されるように、操作者が、指８０で、操作面２１に対して閾値押圧力ＴｈＦより大きい押圧値Ｆｐの押圧力を付与し、且つ固定領域３１４に他の指を接触させた場合、スライダ３２０は２段目部分である制限付き入力範囲３１２を移動することができる。図１１は、人差指と薬指を固定領域３１４に接触させながら、中指でスライダ３２０を上に移動させる第２のタッチ操作を示している。
【００４８】
図１２は、実施の形態３に係るタッチパネル装置の動作を示すフローチャートである。図１２に示されるシーケンスがスタートすると、ステップＳ３０１において、圧力検出部１２０は、初期化され、ステップＳ３０２において、操作許可圧力設定部１４０は、第２のタッチ操作の閾値押圧力ＴｈＦを設定する。次のステップＳ３０３において、操作判定部１３０は、タッチ操作の位置座標（ｘ，ｙ）とタッチ操作の押圧力の押圧値Ｆｐを取得する。
【００４９】
次のステップＳ３０４において、操作判定部１３０は、押圧値Ｆｐが閾値押圧力ＴｈＦより大きいか否かを判定する。
【００５０】
ステップＳ３０４における判定の結果がＮＯである場合、ステップＳ３０５において、操作判定部１３０は、タッチ操作が１段目部分の範囲である通常入力範囲３１１内又は境界値３１３の位置における操作であるか否かを判定する。
【００５１】
ステップＳ３０５における判定の結果がＮＯである場合、ステップＳ３０７において、操作判定部１３０は、スライドバー３１０の表示更新（例えば、図１１の制限付き入力範囲３１２内におけるスライダ３１３の移動）を行わない。ステップＳ３０５における判定の結果がＹＥＳである場合、ステップＳ３０６において、操作判定部１３０は、スライドバー３１０の表示更新（例えば、図１０の通常入力範囲３１１内又は境界値３１３の位置におけるスライダ３２０の移動）を行う。
【００５２】
ステップＳ３０４における判定の結果がＹＥＳである場合、ステップＳ３０８において、操作判定部１３０は、タッチ操作が２段目部分の範囲（すなわち、図１１における制限付き入力範囲３１２）内におけるタッチ操作における固定領域３１４におけるタッチが有るか否かを判定する。
【００５３】
ステップＳ３０８における判定の結果がＮＯである場合、ステップＳ３０９において、操作判定部１３０は、スライドバー３１０の表示更新（例えば、図１１の通常入力範囲３１１内におけるスライダ３２０の移動）を行わない。ステップＳ３０８における判定の結果がＹＥＳである場合、ステップＳ３１０において、操作判定部１３０は、スライドバー３１０の表示更新（例えば、図１１の制限付き入力範囲３１２内におけるスライダ３２０の移動）を行う。
【００５４】
以上に説明したように、実施の形態３に係るタッチパネル装置によれば、閾値押圧力ＴｈＦより大きい押圧値Ｆｐの押圧力によるタッチ操作と固定領域３１４に対するタッチ操作との両方をおこなうことを制限付き入力範囲３１２内においてスライダ３２０を移動可能とする条件としているので、第２のタッチ操作が操作者の意に反して行われる誤操作の発生を回避することができる。
【００５５】
《４》実施の形態４．
実施の形態４に係るタッチパネル装置は、タッチパネル２０の操作面２１に表示される操作部品及びタッチ操作の方法の点において、実施の形態１に係るタッチパネル装置１と相違する。この点以外については、実施の形態４は、実施の形態１と同じである。したがって、実施の形態４の説明においては、図１から図３をも参照する。
【００５６】
図１３（ａ）及び（ｂ）は、実施の形態４に係るタッチパネル装置のタッチパネル２０の操作面２１に表示される数値入力部品４１０を用いたタッチ操作を示す図である。数値入力部品４１０は、第１の増加ボタンである「＋」ボタン４１１と、第１の減少ボタンである「−」ボタン４１２と、第２の増加ボタンである「＋」ボタン４１３と、第２の減少ボタンである「−」ボタン４１４と、数値表示部４１５とを有する。一例として、数値（整数）が「１０〜１００」の範囲が通常入力範囲であり、数値が「９」以下又は「１０１」以上の範囲が、予め定められた条件が満たされたときに限り数値変更が可能になる制限付き入力範囲である例を説明する。
【００５７】
図１３（ａ）に示されるように、操作者が、指８０で、操作面２１に対して閾値押圧力ＴｈＦ以下の押圧値Ｆｐの押圧力で「＋」ボタン４１１をタッチ操作すると、タッチの度に数値表示部４１５に表示される数値である出力値が増加（例えば、１ずつ増加）するが、境界値（すなわち、通常入力範囲の上限値）「１００」になると、同じ押圧力のタッチ操作があっても数値が増加しなくなる。また、操作者が、指８０で、操作面２１に対して閾値押圧力ＴｈＦ以下の押圧値Ｆｐの押圧力で「−」ボタン４１２をタッチ操作すると、タッチの度に数値表示部４１５に表示される数値である出力値が減少（例えば、１ずつ減少）するが、境界値（すなわち、通常入力範囲の下限値）「１０」になると、同じ押圧力のタッチ操作があっても数値が減少しなくなる。
【００５８】
図１３（ｂ）に示されるように、操作者が、指８０で、操作面２１に対して閾値押圧力ＴｈＦより大きい押圧値Ｆｐの押圧力で「＋」ボタン４１３をタッチ操作すると、タッチの度に数値表示部４１５に表示される数値である出力値が増加（例えば、１ずつ増加）する。この場合、同様のタッチ操作により、数値を、境界値（すなわち、通常入力範囲の上限値）を超える「１０１」以上で増加させることができる。また、操作者が、指８０で、操作面２１に対して閾値押圧力ＴｈＦより大きい押圧値Ｆｐの押圧力で「−」ボタン４１４をタッチ操作すると、タッチの度に数値表示部４１５に表示される数値である出力値が減少（例えば、１ずつ減少）する。この場合、同様のタッチ操作により、数値を、境界値（すなわち、通常入力範囲の下限値）より小さい「９」以下で減少させることができる。
【００５９】
図１４は、実施の形態４に係るタッチパネル装置の動作を示すフローチャートである。図１４に示されるシーケンスがスタートすると、ステップＳ４０１において、圧力検出部１２０は、初期化され、ステップＳ４０２において、操作許可圧力設定部１４０は、第２のタッチ操作の閾値押圧力ＴｈＦを設定する。次のステップＳ４０３において、操作判定部１３０は、タッチ操作の位置座標（ｘ，ｙ）とタッチ操作の押圧力の押圧値Ｆｐを取得する。
【００６０】
次のステップＳ４０４において、操作判定部１３０は、押圧値Ｆｐが閾値押圧力ＴｈＦより大きいか否かを判定する。
【００６１】
ステップＳ４０４における判定の結果がＮＯである場合、ステップＳ４０５において、操作判定部１３０は、タッチ操作が通常入力範囲（すなわち、図１３（ａ）における「＋」ボタン４１１又は「−」ボタン４１２）内における操作であるか否かを判定する。
【００６２】
ステップＳ４０５における判定の結果がＮＯである場合、ステップＳ４０７において、操作判定部１３０は、数値表示部４１５の数値表示を更新しない。ステップＳ４０５における判定の結果がＹＥＳである場合、ステップＳ４０６において、操作判定部１３０は、数値表示部４１５の数値表示を更新する。
【００６３】
ステップＳ４０４における判定の結果がＹＥＳである場合、ステップＳ４０８において、操作判定部１３０は、タッチ操作が数値入力部品４１０の特定領域である制限付き入力範囲（すなわち、図１３（ｂ）における「＋」ボタン４１３又は「−」ボタン４１４）内における操作であるか否かを判定する。
【００６４】
ステップＳ４０８における判定の結果がＮＯである場合、ステップＳ４０９において、操作判定部１３０は、数値表示部４１５の数値表示を更新しない。ステップＳ４０８における判定の結果がＹＥＳである場合、ステップＳ４１０において、操作判定部１３０は、数値表示部４１５の数値表示を更新する。
【００６５】
以上に説明したように、実施の形態４に係るタッチパネル装置によれば、閾値押圧力ＴｈＦより大きい押圧値Ｆｐの押圧力によるタッチ操作と特定領域のタッチ操作とを制限付き入力範囲内における数値変更を可能とする条件としているので、第２のタッチ操作が操作者の意に反して行われる誤操作の発生を回避することができる。
【００６６】
《５》実施の形態５．
実施の形態５に係るタッチパネル装置は、タッチパネル２０の操作面２１に表示される操作部品及びタッチ操作の方法の点において、実施の形態１に係るタッチパネル装置と相違する。この点以外については、実施の形態５は、実施の形態１と同じである。したがって、実施の形態５の説明においては、図１から図３をも参照する。
【００６７】
図１５（ａ）から（ｄ）は、実施の形態５に係るタッチパネル装置のタッチパネル２０の操作面２１に表示される数値入力部品５１０を用いたタッチ操作を示す図である。数値入力部品５１０は、第１の増加ボタンである「＋」ボタン５１１と、第１の減少ボタンである「−」ボタン５１２と、第２の増加ボタンである「＋」ボタン５１３と、第２の減少ボタンである「−」ボタン５１４と、数値表示部５１５とを有する。一例として、数値（整数）が「１０〜１００」の範囲が通常入力範囲であり、数値が「９」以下又は「１０１」以上の範囲が制限付き入力範囲である例を説明する。
【００６８】
図１５（ａ）に示されるように、操作者が、指８０で、操作面２１に対して閾値押圧力ＴｈＦ以下の押圧値Ｆｐの押圧力で「＋」ボタン５１１をタッチ操作すると、タッチの度に数値表示部５１５に表示される数値である出力値が増加（例えば、１ずつ増加）するが、境界値（すなわち、通常入力範囲の上限値）「１００」になると、同じ押圧力のタッチ操作があっても数値が増加しなくなる。また、操作者が、指８０で、操作面２１に対して閾値押圧力ＴｈＦ以下の押圧値Ｆｐの押圧力で「−」ボタン５１２をタッチする度に数値表示部５１５に表示される数値である出力値が減少（例えば、１ずつ減少）するが、境界値（すなわち、通常入力範囲の下限値）「１０」になると、同じ押圧力のタッチ操作があっても数値が減少しなくなる。
【００６９】
図１５（ｂ）に示されるように、操作者が、指８０で、操作面２１に対して閾値押圧力ＴｈＦより大きい押圧値Ｆｐの押圧力で「＋」ボタン５１１をタッチすると、「＋」ボタン５１３が出現する。図１５（ｃ）に示されるように、指８０が、操作面２１に対して閾値押圧力ＴｈＦより大きい押圧値Ｆｐの押圧力で「＋」ボタン５１３をタッチ操作すると、タッチの度に数値表示部５１５に表示される数値である出力値が増加（例えば、１ずつ増加）し、数値を、境界値（すなわち、通常入力範囲の上限値）を超える「１０１」以上で増加させることができる。
【００７０】
また、数値表示部５１５に「１０」が表示されているときに、操作者が、指８０で、操作面２１に対して閾値押圧力ＴｈＦより大きい押圧値Ｆｐの押圧力で「−」ボタン５１２をタッチすると、「−」ボタン５１４が現われる。このとき、操作者が、指８０で、操作面２１に対して閾値押圧力ＴｈＦより大きい押圧値Ｆｐの押圧力で「−」ボタン５１４をタッチ操作すると、タッチの度に数値表示部５１５に表示される数値である出力値が減少（例えば、１ずつ減少）し、数値を、境界値（すなわち、通常入力範囲の下限値）より小さい「９」以下で減少させることができる。
【００７１】
図１６は、実施の形態５に係るタッチパネル装置の動作を示すフローチャートである。図１６に示されるシーケンスがスタートすると、ステップＳ５０１において、圧力検出部１２０は、初期化され、ステップＳ５０２において、操作許可圧力設定部１４０は、第２のタッチ操作の閾値押圧力ＴｈＦを設定する。次のステップＳ５０３において、操作判定部１３０は、タッチ操作の位置座標（ｘ，ｙ）とタッチ操作のタッチ操作の押圧力の押圧値Ｆｐを取得する。
【００７２】
次のステップＳ５０４において、操作判定部１３０は、タッチ操作が通常入力範囲（すなわち、図１５（ａ）における「＋」ボタン５１１又は「−」ボタン５１２）内における操作であるか否かを判定する。
【００７３】
ステップＳ５０４における判定の結果がＮＯである場合、ステップＳ５０５において、操作判定部１３０は、数値表示部５１５の数値表示を更新しない。
【００７４】
ステップＳ５０４における判定の結果がＹＥＳである場合、ステップＳ５０６において、操作判定部１３０は、押圧値Ｆｐが閾値押圧力ＴｈＦより大きいか否かを判定する。
【００７５】
ステップＳ５０６における判定の結果がＮＯである場合、操作判定部１３０は、数値表示部５１５の数値表示を更新する。
【００７６】
ステップＳ５０６における判定の結果がＹＥＳである場合、ステップＳ５０８において、操作判定部１３０は、特定領域（すなわち、図１５（ｂ）における５１３又は５１４）を表示させる。
【００７７】
次のステップＳ５０９において、操作判定部１３０は、押圧値Ｆｐが閾値押圧力ＴｈＦより大きく、且つタッチ操作が数値入力部品５１０の特定領域である制限付き入力範囲内における操作であるか否かを判定する。
【００７８】
ステップＳ５０９における判定の結果がＮＯである場合、ステップＳ５１０において、操作判定部１３０は、数値表示部５１５の数値表示を更新しない。ステップＳ５０９における判定の結果がＹＥＳである場合、ステップＳ５１１において、操作判定部１３０は、数値表示部５１５の数値表示を更新する。
【００７９】
以上に説明したように、実施の形態５に係るタッチパネル装置によれば、閾値押圧力ＴｈＦより大きい押圧値Ｆｐの押圧力によるタッチ操作と特定領域のタッチ操作とを制限付き入力範囲内における数値変更を可能とする条件としているので、第２のタッチ操作が操作者の意に反して行われる誤操作の発生を回避することができる。
【００８０】
《６》実施の形態６．
実施の形態６に係るタッチパネル装置は、タッチパネル２０の操作面２１に表示される操作部品及びタッチ操作の方法の点において、実施の形態６に係るタッチパネル装置と相違する。この点以外については、実施の形態６は、実施の形態１と同じである。したがって、実施の形態６の説明においては、図１から図３をも参照する。
【００８１】
図１７（ａ）から（ｃ）は、実施の形態６に係るタッチパネル装置のタッチパネル２０の操作面２１に表示される数値入力部品６１０を用いたタッチ操作を示す図である。数値入力部品６１０は、第１の増加ボタンである「＋」ボタン６１１と、第１の減少ボタンである「−」ボタン６１２と、第２の増加ボタンである「＋」ボタン６１３と、第２の減少ボタンである「−」ボタン６１４と、数値表示部６１５とを有する。一例として、数値（整数）が「１０〜１００」の範囲が通常入力範囲であり、数値が「９」以下又は「１０１」以上の範囲が制限付き入力範囲である例を説明する。
【００８２】
図１７（ａ）に示されるように、操作者が、指８０で、操作面２１に対して閾値押圧力ＴｈＦ以下の押圧値Ｆｐの押圧力で「＋」ボタン６１１をタッチ操作すると、タッチの度に数値表示部６１５に表示される数値である出力値が増加（例えば、１ずつ増加）し、境界値（すなわち、通常入力範囲の上限値）「１００」で増加が停止する。また、操作者が、指８０で、操作面２１に対して閾値押圧力ＴｈＦ以下の押圧値Ｆｐの押圧力で「−」ボタン６１２をタッチ操作すると、タッチの度に数値表示部６１５に表示される数値である出力値が減少（例えば、１ずつ減少）し、境界値（すなわち、通常入力範囲の下限値）「１０」で減少が停止する。
【００８３】
図１７（ｂ）に示されるように、操作者が、指８０で、操作面２１に対して閾値押圧力ＴｈＦより大きい押圧値Ｆｐの押圧力で「＋」ボタン６１１をタッチすると、「＋」ボタン６１３が現われる。図１７（ｃ）に示されるように、操作者が、指８０で、操作面２１に対して閾値押圧力ＴｈＦより大きい押圧値Ｆｐの押圧力で「＋」ボタン６１１から「＋」ボタン６１３に指８０を滑らせるスワイプ操作を行うと、制限付き入力範囲（例えば、「１０１」以上の範囲）内における数値の入力が可能となる。また、操作者が、指８０で、操作面２１に対して閾値押圧力ＴｈＦより大きい押圧値Ｆｐの押圧力で「−」ボタン６１２から「−」ボタン６１４に指８０を滑らせるスワイプ操作を行うと、制限付き入力範囲（例えば、「９」以下の範囲）内における数値の入力が可能となる。
【００８４】
操作者が、指８０で、操作面２１に対して閾値押圧力ＴｈＦより大きい押圧値Ｆｐの押圧力で「＋」ボタン６１３をタッチする度に数値表示部６１５に表示される数値である出力値が増加（例えば、１ずつ増加）し、数値を、境界値（すなわち、通常入力範囲の下限値）より大きい「１０１」以上で増加させることができる。
【００８５】
また、操作者が、指８０で、操作面２１に対して閾値押圧力ＴｈＦより大きい押圧値Ｆｐの押圧力で「−」ボタン６１４をタッチする度に数値表示部６１５に表示される数値である出力値が減少（例えば、１ずつ減少）し、数値を、境界値（すなわち、通常入力範囲の下限値）より小さい「９」以下で減少させることができる。
【００８６】
図１８は、実施の形態６に係るタッチパネル装置の動作を示すフローチャートである。図１８に示されるシーケンスがスタートすると、ステップＳ６０１において、圧力検出部１２０は、初期化され、ステップＳ６０２において、操作許可圧力設定部１４０は、第２のタッチ操作の閾値押圧力ＴｈＦを設定する。次のステップＳ６０３において、操作判定部１３０は、タッチ操作の位置座標（ｘ，ｙ）とタッチ操作の押圧力の押圧値Ｆｐを取得する。
【００８７】
次のステップＳ６０４において、操作判定部１３０は、タッチ操作が通常入力範囲（すなわち、図１７（ａ）における「＋」ボタン６１１又は「−」ボタン６１２）内における操作であるか否かを判定する。
【００８８】
ステップＳ６０４における判定の結果がＮＯである場合、ステップＳ６０５において、操作判定部１３０は、数値表示部６１５の数値表示を更新しない。
【００８９】
ステップＳ６０４における判定の結果がＹＥＳである場合、ステップＳ６０６において、操作判定部１３０は、押圧値Ｆｐが閾値押圧力ＴｈＦより大きいか否かを判定する。
【００９０】
ステップＳ６０６における判定の結果がＮＯである場合、操作判定部１３０は、数値表示部６１５の数値表示を更新する。
【００９１】
ステップＳ６０６における判定の結果がＹＥＳである場合、ステップＳ６０８において、操作判定部１３０は、特定領域（すなわち、図１７（ｂ）における「＋」ボタン６１３又は「−」ボタン６１４）を表示させる。
【００９２】
次のステップＳ６０９において、操作判定部１３０は、押圧値Ｆｐが閾値押圧力ＴｈＦより大きく、且つタッチ操作が数値入力部品６１０の特定領域である制限付き入力範囲内の位置におけるスワイプ操作であるか否かを判定する。
【００９３】
ステップＳ６０９における判定の結果がＮＯである場合、ステップＳ６１０において、操作判定部１３０は、数値表示部６１５の数値表示を更新しない。ステップＳ６０９における判定の結果がＹＥＳである場合、ステップＳ５１１において、操作判定部１３０は、数値表示部６１５の数値表示を更新する。
【００９４】
以上に説明したように、実施の形態６に係るタッチパネル装置によれば、閾値押圧力ＴｈＦより大きい押圧値Ｆｐの押圧力による操作と特定領域におけるスワイプ操作とを制限付き入力範囲内における数値変更を可能とする条件としているので、第２のタッチ操作が操作者の意に反して行われる誤操作の発生を回避することができる。
【００９５】
《７》実施の形態７．
実施の形態７に係るタッチパネル装置は、タッチパネル２０の操作面２１に表示される操作部品及びタッチ操作の方法の点において、実施の形態７に係るタッチパネル装置と相違する。この点以外については、実施の形態７は、実施の形態１と同じである。したがって、実施の形態７の説明においては、図１から図３をも参照する。
【００９６】
図１９（ａ）及び（ｂ）は、実施の形態７に係るタッチパネル装置のタッチパネル２０の操作面２１に表示されるスライドバーを用いたタッチ操作を示す図である。図１９（ａ）及び（ｂ）には、通常スライドバー７３０と多段スライドバー７１０が示されている。図１９（ａ）は、操作者が、指８０でスライダ７２０，７４０を１回タッチすることで、スライドバーのタッチ操作が無効である施錠状態（すなわち、使用停止状態）からスライドバーのタッチ操作が有効である解除状態（すなわち、使用可能状態）に変更することができることが示されている。つまり、実施の形態７に係るタッチパネル装置は、スライドバーの操作を不能とする施錠状態と、スライドバーの操作を許可する解除状態とを有する。図１９（ｂ）は、操作者が、指８０で解除状態のスライドバーを上又は下に移動させることで、スライダ７２０，７４０の位置に応じた値を入力することができることを示している。
【００９７】
図１９（ａ）及び（ｂ）において、左側のスライドバーは、通常スライドバー７３０であり、入力範囲の境界値が設定されていないスライドバーである。したがって、通常スライドバー７３０のバー部分の全範囲が、通常入力範囲７３１である。操作者は、スライドバーが解除状態にあるときには、指８０で、通常入力範囲７３１内の全域でスライダ７４０を自由に移動させることができる。
【００９８】
図１９（ａ）及び（ｂ）において、右側のスライドバーは、多段スライドバー７１０であり、入力範囲の境界値７１３が設定されているスライドバーである。多段スライドバー７１０における境界値７１３の下側の１段目部分は、通常入力範囲７１１である。多段スライドバー７１０における境界値７１３の上側の２段目部分は、制限付き入力範囲７１２である。操作者は、スライドバーが解除状態にあるときには、指８０で、通常入力範囲７１１内においてスライダ７２０を自由に移動させることができる。通常入力範囲７１１内におけるタッチ操作は、第１のタッチ操作である。しかし、操作者は、スライドバーが解除状態にあるときに、予め決められた制限解除操作を行った場合に限り、制限付き入力範囲７１２内においてスライダ７２０を移動させることができる。制限付き入力範囲７１２内におけるタッチ操作は、第２のタッチ操作である。
【００９９】
図２０は、実施の形態７に係るタッチパネル装置の動作を示すフローチャートである。図２０に示される処理は、図７に示される処理に、ステップＳ７０４〜Ｓ７０７の処理を追加したものである。ステップＳ７０４〜Ｓ７０７の処理が追加された点以外については、図２０に示される処理は、図７に示される処理と同じである。
【０１００】
図２０に示されるシーケンスがスタートすると、ステップＳ７０１において、圧力検出部１２０は、初期化され、ステップＳ７０２において、操作許可圧力設定部１４０は、第２のタッチ操作の閾値押圧力ＴｈＦを設定する。次のステップＳ７０３において、操作判定部１３０は、タッチ操作の位置座標（ｘ，ｙ）とタッチ操作の押圧力の押圧値Ｆｐを取得する。
【０１０１】
ステップＳ７０４においては、操作判定部１３０は、入力座標から施錠領域を指先でタッチ操作されたか否かを判定する。
【０１０２】
ステップＳ７０４における判定の結果がＮＯである場合、ステップＳ７０５において、操作判定部１３０は、施錠状態であることを示す「施錠」を表示し、処理をステップＳ７０３に戻す。
【０１０３】
ステップＳ７０４における判定の結果がＹＥＳである場合、ステップＳ７０６において、操作判定部１３０は、解除状態であり「解除」を表示する。その後、ステップＳ７０７において、操作判定部１３０は、ステップＳ７０３と同様の処理を行う。
【０１０４】
次のステップＳ７０８において、操作判定部１３０は、押圧力の押圧値Ｆｐが閾値押圧力ＴｈＦより大きいか否かを判定する。
【０１０５】
ステップＳ７０８における判定の結果がＮＯである場合、ステップＳ７０９において、操作判定部１３０は、タッチ操作が１段目部分の範囲（すなわち、図１９（ａ）及び（ｂ）における通常入力範囲７１１）内における操作であるか否かを判定する。
【０１０６】
ステップＳ７０９における判定の結果がＮＯである場合、ステップＳ７１１において、操作判定部１３０は、スライドバー７１０の表示更新（例えば、図１９（ａ）及び（ｂ）における制限付き入力範囲７１２内におけるスライダ７２０の移動）を行わない。ステップＳ７０９における判定の結果がＹＥＳである場合、ステップＳ７１０において、操作判定部１３０は、スライドバー７１０の表示更新（例えば、図１９（ａ）及び（ｂ）における通常入力範囲７１１内におけるスライダ７２０の移動）を行う。
【０１０７】
ステップＳ７０８における判定の結果がＹＥＳである場合、ステップＳ７１２において、操作判定部１３０は、タッチ操作が２段目部分の範囲である制限付き入力範囲７１２内における操作であるか否かを判定する。
【０１０８】
ステップＳ７１２における判定の結果がＮＯである場合、ステップＳ７１３において、操作判定部１３０は、スライドバー７１０の表示更新（例えば、図１９（ａ）及び（ｂ）の通常入力範囲７１１内におけるスライダ７２０の移動）を行う。ステップＳ７１２における判定の結果がＹＥＳである場合、ステップＳ７１４において、操作判定部１３０は、スライドバー７１０の表示更新（例えば、図１９（ａ）及び（ｂ）の制限付き入力範囲７１２内におけるスライダ７２０の移動）を行う。
【０１０９】
以上に説明したように、実施の形態７に係るタッチパネル装置によれば、スライダ７２０の移動を許可しない施錠状態を設け、さらに、閾値押圧力ＴｈＦより大きい押圧値Ｆｐの押圧力によるタッチ操作を制限付き入力範囲７１２内においてスライダ７２０を移動可能とする条件としているので、第２のタッチ操作が操作者の意に反して行われる誤操作の発生を回避することができる。
【０１１０】
《８》実施の形態８．
実施の形態８に係るタッチパネル装置は、タッチパネル２０の操作面２１に表示される操作部品及びタッチ操作の方法の点において、実施の形態８に係るタッチパネル装置と相違する。この点以外については、実施の形態８は、実施の形態１と同じである。したがって、実施の形態８の説明においては、図１から図３をも参照する。
【０１１１】
図２１は、実施の形態８に係るタッチパネル装置のタッチパネル２０の操作面２１に表示されるダイヤルボタン８１０を用いたタッチ操作を示す図である。図２１は、ダイヤルボタン８１０が回転できない施錠状態（左側）と、ダイヤルボタン８１０の施錠状態を解除するためのタッチ操作（中央）と、解除状態のダイヤルボタン８１０を回転させるタッチ操作とを示す。
【０１１２】
図２２は、実施の形態８に係るタッチパネル装置のタッチパネル２０の操作面２１に表示されるダイヤルボタン８１０を用いたタッチ操作を示す図である。図２２の左側のダイヤルボタン８１０は、入力値が境界値（通常入力範囲の上限値）「１００」に達し、その後、指で回転操作してもダイヤルボタン８１０が回転しない状態を示す。図２２の中央のダイヤルボタン８１０は、入力値が境界値（通常入力範囲の上限値）「１００」に達し、その後、指８０で、閾値押圧力ＴｈＦより大きい押圧値Ｆｐで回転操作することで、制限付き入力範囲の入力が可能であることを示す。この場合には、閾値押圧力ＴｈＦより大きい押圧値Ｆｐで回転操作することで入力値は増加する。ただし、１回転当たりの入力値の増加値（すなわち、増加率）を通常入力範囲の場合よりも低くしてもよい。図２２の右側のダイヤルボタン８１０は、入力値が境界値（通常入力範囲の上限値）「１００」に達しておらず、指で右回転操作すればダイヤルボタン８１０が右回転して入力値が増加し、左回転操作すればダイヤルボタン８１０が左回転して入力値が減少することを示す。
【０１１３】
図２３は、実施の形態８に係るタッチパネル装置８の動作を示すフローチャートである。図２３に示されるシーケンスがスタートすると、ステップＳ８０１において、圧力検出部１２０は、初期化され、ステップＳ８０２において、操作許可圧力設定部１４０は、第２のタッチ操作の閾値押圧力ＴｈＦを設定する。次のステップＳ８０３において、操作判定部１３０は、タッチ操作の位置座標（ｘ，ｙ）とタッチ操作の押圧力の押圧値Ｆｐを取得する。
【０１１４】
ステップＳ８０４においては、操作判定部１３０は、入力座標から施錠領域を指先でタッチ操作したか否かを判定する。
【０１１５】
ステップＳ８０４における判定の結果がＮＯである場合、ステップＳ８０５において、操作判定部１３０は、ダイヤルボタン８１０が施錠状態であると判定し、「施錠」を表示し、処理をステップＳ８０３に戻す。
【０１１６】
ステップＳ８０４における判定の結果がＹＥＳである場合、ステップＳ８０６において、操作判定部１３０は、ダイヤルボタン８１０が解除状態であると判定し、「解除」を表示する。その後、ステップＳ８０７において、操作判定部１３０は、ステップＳ８０３と同様の処理を行う。
【０１１７】
次のステップＳ８０８において、操作判定部１３０は、押圧力の押圧値Ｆｐが閾値押圧力ＴｈＦより大きいか否かを判定する。
【０１１８】
ステップＳ８０８における判定の結果がＮＯである場合、ステップＳ８０９において、操作判定部１３０は、タッチ操作であるダイヤルボタン８１０の回転操作が１段目部分の通常使用範囲内における第１の操作であるか否かを判定する。
【０１１９】
ステップＳ８０９における判定の結果がＮＯである場合、ステップＳ８１１において、操作判定部１３０は、ダイヤルボタン８１０の表示更新（例えば、図２２におけるダイヤルボタン８１０の回転表示と数値表示の更新）を行わない。ステップＳ８０９における判定の結果がＹＥＳである場合、ステップＳ８１０において、操作判定部１３０は、ダイヤルボタン８１０の表示更新（例えば、図２０におけるダイヤルボタン８１０の回転表示と数値表示の更新）を行う。
【０１２０】
ステップＳ８０８における判定の結果がＹＥＳである場合、ステップＳ８１２において、操作判定部１３０は、タッチ操作が２段目部分の範囲（すなわち、図２２におけるダイヤルボタン８１０領域）内における第２のタッチ操作であるか否かを判定する。
【０１２１】
ステップＳ８１２における判定の結果がＮＯである場合、ステップＳ８１３において、操作判定部１３０は、ダイヤルボタン８１０の表示更新（例えば、図２３におけるダイヤルボタン８１０の回転表示と数値表示の更新）を行う。ステップＳ８１２における判定の結果がＹＥＳである場合、ステップＳ８１４において、操作判定部１３０は、ダイヤルボタン８１０の表示更新を行う。
【０１２２】
以上に説明したように、実施の形態８に係るタッチパネル装置によれば、ダイヤルボタン８１０の施錠状態を設け、さらに、ダイヤルボタン８１０の解除状態においては閾値押圧力ＴｈＦより大きい押圧値Ｆｐの押圧力によるタッチ操作を制限付き入力範囲内においてダイヤルボタン８１０の入力値を変更可能とすることで、第２のタッチ操作が操作者の意に反して行われる誤操作の発生を回避することができる。
【０１２３】
《９》実施の形態９．
実施の形態９に係るタッチパネル装置は、タッチパネル２０の操作面２１に表示される操作部品及びタッチ操作の方法の点において、実施の形態９に係るタッチパネル装置と相違する。この点以外については、実施の形態９は、実施の形態１と同じである。したがって、実施の形態９の説明においては、図１から図３をも参照する。
【０１２４】
図２４は、実施の形態９に係るタッチパネル装置のタッチパネル２０の操作面２１に表示されるバルブ９１０を用いたタッチ操作を示す図である。操作者は、タッチパネル２０の操作面２１に表示されるバルブ９１０を、例えば、現実のバルブを回すように、複数の指を操作面２１に押圧させながら回転操作する。現実のバルブ開操作と同様に、バルブ９１０は、初期位置の値からある程度の入力値（一定値）までの回転は閾値押圧力ＴｈＦより大きい押圧値Ｆｐの力で押圧しながら回転操作（すなわち、第２のタッチ操作）され、一定値以上回転させた後は、閾値押圧力ＴｈＦ以下の押圧値Ｆｐの力で押圧しながら回転操作（すなわち、第１のタッチ操作）される。つまり、初期位置から一定回数の回転までの操作が第２の操作であり、一定回数以降の回転以前の操作が第１の操作であり、制御部は、バルブを閾値押圧力ＴｈＦより大きい押圧値Ｆｐの押圧力で押圧しながら回転させて第２のタッチ操作が行われたときに、第２のタッチ操作に対応する第２の操作情報を有効と判定する。
【０１２５】
図２５は、実施の形態９に係るタッチパネル装置９の動作を示すフローチャートである。図２５に示されるシーケンスがスタートすると、ステップＳ９０１において、圧力検出部１２０は、初期化され、ステップＳ９０２において、操作許可圧力設定部１４０は、第２のタッチ操作の閾値押圧力ＴｈＦを設定する。次のステップＳ９０３において、操作判定部１３０は、タッチ操作の位置座標（ｘ，ｙ）とタッチ操作の押圧力の押圧値Ｆｐを取得する。
【０１２６】
ステップＳ９０４においては、操作判定部１３０は、押圧力の押圧値Ｆｐが閾値押圧力ＴｈＦより大きいか否かを判定する。
【０１２７】
ステップＳ９０４における判定の結果がＮＯである場合、ステップＳ９０５において、操作判定部１３０は、バルブ表示を更新せず、処理をステップＳ９０３に戻す。
【０１２８】
ステップＳ９０４における判定の結果がＹＥＳである場合、ステップＳ９０６において、操作判定部１３０は、バルブ表示を更新する。その後、ステップＳ９０７において、操作判定部１３０は、ステップＳ９０３と同様の処理を行う。
【０１２９】
次のステップＳ９０８において、操作判定部１３０は、押圧力の押圧値Ｆｐが閾値押圧力ＴｈＦより大きいか否かを判定する。
【０１３０】
ステップＳ９０８における判定の結果がＮＯである場合、ステップＳ９０９において、操作判定部１３０は、タッチ操作の座標がバルブの表示領域内であり且つバルブの回転操作があったか否かを判定する。
【０１３１】
ステップＳ９０９における判定の結果がＮＯである場合、ステップＳ９１１において、操作判定部１３０は、タッチ操作であるバルブの回転表示及び数値表示を更新しない。
【０１３２】
ステップＳ９０９における判定の結果がＹＥＳである場合、ステップＳ９１０において、操作判定部１３０は、バルブの回転表示及び数値表示を更新する。
【０１３３】
ステップＳ９０８における判定の結果がＹＥＳである場合、ステップＳ９１２において、操作判定部１３０は、現在の表示値が境界値であり且つバルブの表示領域における回転を検出したか否かを判定する。
【０１３４】
ステップＳ９１２における判定の結果がＮＯである場合、ステップＳ９１３において、操作判定部１３０は、バルブ９１０の表示更新と表示値の更新を行う。ステップＳ９１２における判定の結果がＹＥＳである場合、ステップＳ９１４において、操作判定部１３０は、バルブ９１０の表示更新と表示値の更新を行う。
【０１３５】
以上に説明したように、実施の形態９に係るタッチパネル装置によれば、バルブ９１０の回転操作に大きな押圧値Ｆｐの押圧力を要求する制限付き入力範囲を設け、さらに、閾値押圧力ＴｈＦより大きい押圧値Ｆｐの押圧力によるタッチ操作を制限付き入力範囲内においてバルブ９１０の入力値を変更することで、第２のタッチ操作が操作者の意に反して行われる誤操作の発生を回避することができる。
【０１３６】
《１０》実施の形態１０．
実施の形態１０に係るタッチパネル装置は、タッチパネル２０の操作面２１に表示される操作部品及びタッチ操作の方法の点において、実施の形態１０に係るタッチパネル装置と相違する。この点以外については、実施の形態１０は、実施の形態１と同じである。したがって、実施の形態１０の説明においては、図１から図３をも参照する。
【０１３７】
図２６（ａ）及び（ｂ）は、実施の形態１０に係るタッチパネル装置のタッチパネル２０の操作面２１に表示されるレバー１０１０を用いたタッチ操作を示す図である。図２６（ａ）及び（ｂ）に示されるように、タッチパネル２０上にレバー１０１０を表示し、タッチ操作では、押圧面を閾値押圧力ＴｈＦより大きい押圧値Ｆｐの押圧力で押圧しながらタッチパネル２０の操作面２１をスライドしたときに限りレバー１０１０が作動し、レバー表示が更新される。
【０１３８】
図２６（ａ）は、操作者が拳８１で、画面を押圧しながら、拳８１をスライドする操作を示す。図２６（ｂ）は、予め決められた回数（例えば、複数回）拳８１をスライドさせたときに限り、レバー１０１０が動作するようにすることで誤操作を防止する。これらの場合には、例えば、「入」から「切」へのレバーの動作を、通常入力操作とし、「切」から「入」へのレバーの動作を、制限付き入力操作としてもよい。
【０１３９】
図２７は、実施の形態１０に係るタッチパネル装置（図２６（ａ））の動作を示すフローチャートである。図２７に示されるシーケンスがスタートすると、ステップＳ１００１において、圧力検出部１２０は、初期化され、ステップＳ１００２において、操作許可圧力設定部１４０は、第２のタッチ操作の閾値押圧力ＴｈＦを設定する。次のステップＳ１００３において、操作判定部１３０は、タッチ操作の位置座標（ｘ，ｙ）とタッチ操作の押圧力の押圧値Ｆｐを取得する。
【０１４０】
次のステップＳ１００４において、操作判定部１３０は、押圧値Ｆｐが閾値押圧力ＴｈＦより大きく、且つレバーの表示領域でスライド動作があったか否かを判定する。
【０１４１】
ステップＳ１００４における判定の結果がＮＯである場合、ステップＳ１００５において、操作判定部１３０は、レバー表示を更新しない。
【０１４２】
ステップＳ１００４における判定の結果がＹＥＳである場合、ステップＳ１００６において、操作判定部１３０は、レバー表示を更新する。
【０１４３】
以上に説明したように、図２６（ａ）に示されるタッチパネル装置によれば、閾値押圧力ＴｈＦより大きい押圧値Ｆｐの押圧力をレバー操作を可能とする条件としているので、第２のタッチ操作が操作者の意に反して行われる誤操作の発生を回避することができる。
【０１４４】
図２８は、実施の形態１０に係るタッチパネル装置１０（図２６（ｂ））の動作を示すフローチャートである。図２８において、図２７の処理ステップと同じ又は対応する処理ステップには、図２７のステップ番号と同じステップ番号が付される。
【０１４５】
ステップＳ１００４における判定の結果がＹＥＳである場合、ステップＳ１００７において、操作判定部１３０は、スライド操作の回数の表示を更新する。次のステップＳ１００８において、操作判定部１３０は、タッチ操作の位置座標（ｘ，ｙ）とタッチ操作の押圧力の押圧値Ｆｐを取得する。
【０１４６】
次のステップＳ１００９において、操作判定部１３０は、押圧値Ｆｐが閾値押圧力ＴｈＦより大きいか否かを判定する。
【０１４７】
ステップＳ１００９における判定の結果がＮＯである場合、ステップＳ１０１０において、操作判定部１３０は、レバー表示を更新しない。
【０１４８】
ステップＳ１００９における判定の結果がＹＥＳである場合、ステップＳ１０１１において、操作判定部１３０は、現在のレバー操作の回数表示が規定回数であり、且つ、レバー領域内の座標のスライド操作を検出したか否かを判定する。
【０１４９】
ステップＳ１０１１における判定の結果がＮＯである場合、ステップＳ１０１０において、操作判定部１３０は、レバー表示を更新しない。
【０１５０】
ステップＳ１０１１における判定の結果がＹＥＳである場合、ステップＳ１０１２において、操作判定部１３０は、レバー表示を更新する。
【０１５１】
以上に説明したように、図２６（ｂ）に示されるタッチパネル装置によれば、閾値押圧力ＴｈＦより大きい押圧値Ｆｐの押圧力をレバー操作を可能とする条件としているので、第２のタッチ操作が操作者の意に反して行われる誤操作の発生を回避することができる。
【０１５２】
《１１》実施の形態１１．
実施の形態１１に係るタッチパネル装置は、タッチパネル２０の操作面２１に表示される操作部品及びタッチ操作の方法の点において、実施の形態１１に係るタッチパネル装置と相違する。この点以外については、実施の形態１１は、実施の形態１と同じである。したがって、実施の形態１１の説明においては、図１から図３をも参照する。
【０１５３】
図２９（ａ）及び（ｂ）は、実施の形態１１に係るタッチパネル装置のタッチパネル２０の操作面２１に表示されるブレーカスイッチ１１１０を用いたタッチ操作を示す図である。図２９（ａ）は、ブレーカスイッチ１１１０を入状態「入」から切状態「切」に移動させるタッチ操作は、第１のタッチ操作であり、ブレーカスイッチ１１１０を「切」から「入」に移動させるタッチ操作は、閾値押圧力ＴｈＦより大きい押圧値の押圧をする第２のタッチ操作である例を示している。図２９（ｂ）は、ブレーカスイッチ１１１０を「入」から「切」に移動させるタッチ操作は、第１のタッチ操作であり、ブレーカスイッチ１１１０を「切」から「入」に移動させるタッチ操作は、閾値押圧力ＴｈＦより大きい押圧値の押圧で規定回数以上の回数、スライド操作を行う第２のタッチ操作である例を示している。
【０１５４】
ブレーカスイッチ１１１０は、一方（入から切）の方向は、スライド動作で容易に動作するが、他方（切から入）には、閾値押圧力ＴｈＦより大きい押圧値で押圧しながらスライド操作を１回行ったときに動作するブレーカスイッチ１１１０を設けることで誤操作を防止する。
【０１５５】
図３０は、図２９（ａ）におけるタッチパネル装置の動作を示すフローチャートである。図３０に示されるシーケンスがスタートすると、ステップＳ１１０１において、圧力検出部１２０は、初期化され、ステップＳ１１０２において、操作許可圧力設定部１４０は、第２のタッチ操作の閾値押圧力ＴｈＦを設定する。次のステップＳ１１０３において、操作判定部１３０は、タッチ操作の位置座標（ｘ，ｙ）とタッチ操作の押圧力の押圧値Ｆｐを取得する。
【０１５６】
次のステップＳ１１０４において、操作判定部１３０は、座標がブレーカスイッチの表示領域内で、且つブレーカスイッチを切り替えるスライド動作があったか否かを判定する。
【０１５７】
ステップＳ１１０４における判定の結果がＮＯである場合、ステップＳ１１０５において、操作判定部１３０は、ブレーカスイッチ表示を更新しない。
【０１５８】
ステップＳ１１０４における判定の結果がＹＥＳである場合、ステップＳ１１０６において、操作判定部１３０は、レバー表示を「入」から「切」にスライドしたか否かを判定する。
【０１５９】
ステップＳ１１０６における判定の結果がＹＥＳである場合、ステップＳ１１０８において、操作判定部１３０は、ブレーカスイッチの表示を更新する。
【０１６０】
ステップＳ１１０６における判定の結果がＮＯである場合、ステップＳ１１０７において、操作判定部１３０は、押圧値Ｆｐが閾値押圧力ＴｈＦより大きいか否かを判定する。
【０１６１】
ステップＳ１１０７における判定の結果がＮＯである場合、ステップＳ１１０５において、操作判定部１３０は、ブレーカスイッチの表示を更新しない。ステップＳ１１０７における判定の結果がＹＥＳである場合、ステップＳ１１０８において、操作判定部１３０は、ブレーカスイッチの表示を更新する。
【０１６２】
以上に説明したように、図２９（ａ）におけるタッチパネル装置によれば、第２のタッチ操作が操作者の意に反して行われる誤操作の発生を回避することができる。
【０１６３】
図３１は、図２９（ｂ）のタッチパネル装置の動作を示すフローチャートである。図３１において、図３０に示される処理ステップと同じ又は対応する処理ステップには、図３０におけるステップ番号と同じ番号が付される。図３１では、ステップＳ１１０９及びＳ１１１０が追加された点が、図３０の場合と異なる。この場合には、ステップＳ１１０９及びＳ１１０８に示されるように、数値カウントが指定カウント以上の回数、スライド操作されたときに、ブレーカスイッチ表示を更新し、ブレーカスイッチの状態が切り替わる。また、ステップ１１０９において判定がＮＯである場合には、スライドの回数表示を更新する。
【０１６４】
以上に説明したように、実施の形態１１に係るタッチパネル装置によれば、ブレーカスイッチ１１１０は、一方（入から切）の方向は、スライド動作で容易に動作するが、他方（切から入）には、閾値押圧力ＴｈＦより大きい押圧値で押圧しながらスライド操作を指定回数（複数回）行ったときに動作するブレーカスイッチ１１１０を設けることで誤操作を防止する。第２のタッチ操作が操作者の意に反して行われる誤操作の発生を回避することができる。
【０１６５】
《１２》実施の形態１２．
実施の形態１２に係るタッチパネル装置は、タッチパネル２０の操作面２１に表示される操作部品及びタッチ操作の方法の点において、実施の形態１２に係るタッチパネル装置と相違する。この点以外については、実施の形態１２は、実施の形態１と同じである。したがって、実施の形態１２の説明においては、図１から図３をも参照する。
【０１６６】
図３２は、実施の形態１２に係るタッチパネル装置のタッチパネル２０の操作面２１に表示されるカバー１２２０付きブレーカスイッチ１２１０を用いたタッチ操作を示す図である。ブレーカスイッチ１２１０を動作させるには、一度、カバー１２２０の領域をスライド動作させ、カバー１２２０を解放状態にし、その後、ブレーカスイッチ１２１０をタッチ操作する。具体的には、一方（入から切）の方向は、スライド動作で動作させる。あるいは、他方（切から入）には、押圧しながらスライド（１回）又は、指定回数（複数回）スライドしたときに限り動作するブレーカスイッチと外部にカバーを設けることで誤操作を防止する。
【０１６７】
図３３は、実施の形態１２に係るタッチパネル装置１２の動作を示すフローチャートである。図３３に示される処理は、図３０に示される処理に、ステップＳ１２０３〜Ｓ１２０６の処理を追加したものである。図３３におけるステップＳ１２０１〜Ｓ１２０２、Ｓ１２０７〜Ｓ１２１３は、図３０におけるステップＳ１１０１〜Ｓ１１０８と同じである。ステップＳ１２０３〜Ｓ１２０６の処理が追加された点以外については、図３３に示される処理は、図３０に示される処理と同じである。
【０１６８】
ステップＳ１２０４においては、操作判定部１３０は、ステップＳ１２０３で検出された座標を元に、カバー領域内の座標でスライド動作を検出したか否かを判定する。
【０１６９】
ステップＳ１２０４における判定の結果がＮＯである場合、操作判定部１３０は、ステップＳ１２０５においてカバー端末の表示を更新せずに、処理をステップＳ１２０３に戻す。
【０１７０】
ステップＳ１２０４における判定の結果がＹＥＳである場合、ステップＳ１２０６において、操作判定部１３０は、カバー１２２０を開いた状態にする表示更新を行い、処理をステップＳ１２０７に進める。
【０１７１】
以上に説明したように、実施の形態１２に係るタッチパネル装置によれば、ブレーカスイッチ１２１０は、一方（入から切）の方向は、スライド動作で容易に動作するが、他方（切から入）には、閾値押圧力ＴｈＦより大きい押圧値で押圧しながらスライド操作を指定回数（複数回）行ったときに動作するブレーカスイッチ１２１０を設けることで誤操作を防止する。また、カバー１２２０を開くタッチ操作を行った後に限り、ブレーカスイッチを操作できるので、第２のタッチ操作が操作者の意に反して行われる誤操作の発生を回避することができる。
【０１７２】
《１３》変形例．
上記実施の形態１〜１２に係るタッチパネル装置１〜１２の各々において、タッチパネル装置１〜１２の特徴を適宜組み合わせることが可能である。
【０１７３】
また、タッチパネル装置１〜１２において、圧力センサ部３０の圧力センサ３０ａ〜３０ｄから出力される圧力値Ｆａ〜Ｆｄを用いて、力のモーメントのつり合いの式から、押圧力が付与された座標である圧力座標（ｘ，ｙ）を算出することも可能である。例えば、横方向のサイズがＷであり縦方向のサイズがＨであるタッチパネル２０の４つの角部が、圧力センサ３０ａ〜３０ｄで支持される場合、ｘ軸方向及びｙ軸方向の力のモーメントのつり合い式により、圧力座標（ｘ，ｙ）を算出することができる。力のモーメントのつり合い式は、例えば、式（１）及び（２）である。
【０１７４】
（Ｆａ＋Ｆｂ）ｘ＝（Ｆｃ＋Ｆｄ）（Ｗ−ｘ）  …（１）
（Ｆｂ＋Ｆｃ）ｙ＝（Ｆａ＋Ｆｄ）（Ｈ−ｙ）  …（２）
式（１）及び（２）の連立方程式から圧力座標（ｘ，ｙ）を算出することができる。圧力座標が算出できる場合には、静電容量座標の信頼性を確認するために、又は、静電容量座標の代わりに、圧力座標を用いることも可能である。
【符号の説明】
【０１７５】
１  タッチパネル装置、  ２０  タッチパネル、  ２１  操作面、  ３０  圧力センサ部、  ３０ａ〜３０ｄ  圧力センサ、  ４１  プロセッサ、  ４２  メモリ、  １００  制御部、  １１０  座標検出部、  １２０  圧力検出部、  １３０  操作判定部、  １４０  操作許可圧力設定部、  ２１０，２５０，３１０  スライドバー、  ４１０，５１０，６１０  数値入力部品、  ８１０  ダイヤルボタン、  ９１０  バルブ、  １０１０  レバー、  １１１０，１２１０  ブレーカスイッチ、  １２２０  カバー。
【図１】
2019150475.tif 000003
【図２】
2019150475.tif 000004
【図３】
2019150475.tif 000005
【図４】
2019150475.tif 000006
【図５】
2019150475.tif 000007
【図６】
2019150475.tif 000008
【図７】
2019150475.tif 000009
【図８】
2019150475.tif 000010
【図９】
2019150475.tif 000011
【図１０】
2019150475.tif 000012
【図１１】
2019150475.tif 000013
【図１２】
2019150475.tif 000014
【図１３】
2019150475.tif 000015
【図１４】
2019150475.tif 000016
【図１５】
2019150475.tif 000017
【図１６】
2019150475.tif 000018
【図１７】
2019150475.tif 000019
【図１８】
2019150475.tif 000020
【図１９】
2019150475.tif 000021
【図２０】
2019150475.tif 000022
【図２１】
2019150475.tif 000023
【図２２】
2019150475.tif 000024
【図２３】
2019150475.tif 000025
【図２４】
2019150475.tif 000026
【図２５】
2019150475.tif 000027
【図２６】
2019150475.tif 000028
【図２７】
2019150475.tif 000029
【図２８】
2019150475.tif 000030
【図２９】
2019150475.tif 000031
【図３０】
2019150475.tif 000032
【図３１】
2019150475.tif 000033
【図３２】
2019150475.tif 000034
【図３３】
2019150475.tif 000035
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定し、
前記操作部品は、スライドバーを有し、
前記スライドバーは、長手方向が入力値に対応するバー部分と、前記バー部分に沿って移動するスライダとを有し、
前記バー部分は、１段目部分と、２段目部分とを有し、
前記操作部品は、前記１段目部分と前記２段目部分との間の境界値の位置の周囲に配置された固定領域をさらに有し、
前記制御部は、前記固定領域をタッチした状態で、前記スライダを前記閾値押圧力より大きい押圧値の押圧力で押圧して前記第２のタッチ操作が行われたときに、前記第２のタッチ操作に対応する前記第２の操作情報を有効と判定する
ことを特徴とするタッチパネル装置。
【請求項２】
前記制御部は、前記スライドバーの操作を不能とする施錠状態と、前記スライドバーの操作を許可する解除状態とを有する
ことを特徴とする請求項１に記載のタッチパネル装置。
【請求項３】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第２の増加ボタン又は前記第２の減少ボタンを、前記閾値押圧力より大きい押圧値の押圧力で押圧して前記第２のタッチ操作が行われたときに、前記第２のタッチ操作に対応する前記第２の操作情報を有効と判定する
ことを特徴とする請求項１に記載のタッチパネル装置。
【請求項４】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第１の増加ボタンを前記閾値押圧力より大きい押圧値の押圧力で押圧して前記第１のタッチ操作が行われたときに、前記第２の増加ボタンを表示させ、前記第１の減少ボタンを、前記閾値押圧力より大きい押圧値の押圧力で押圧して前記第１のタッチ操作が行われたときに、前記第２の減少ボタンを表示させ、
前記第２の増加ボタン又は前記第２の減少ボタンを、前記閾値押圧力より大きい押圧値の押圧力で押圧して前記第２のタッチ操作が行われたときに、前記第２のタッチ操作に対応する前記第２の操作情報を有効と判定する
ことを特徴とする請求項１に記載のタッチパネル装置。
【請求項５】
前記操作部品は、数値入力部品を有し、
前記数値入力部品は、前記第１のタッチ操作により入力値を増加させる第１の増加ボタンと、前記第１のタッチ操作により前記入力値を減少させる第１の減少ボタンと、前記第２のタッチ操作により前記入力値を増加させる第２の増加ボタンと、前記第２のタッチ操作により前記入力値を減少させる第２の減少ボタンとを有し、
前記制御部は、前記第１の増加ボタンを前記閾値押圧力より大きい押圧値の押圧力で押圧して前記第１のタッチ操作が行われたときに、前記第２の増加ボタンを表示させ、前記第１の減少ボタンを、前記閾値押圧力より大きい押圧値の押圧力で押圧して前記第１のタッチ操作が行われたときに、前記第２の減少ボタンを表示させ、
前記閾値押圧力より大きい押圧値の押圧力で、前記第１の増加ボタンから前記第２の増加ボタンに向かうスワイプ操作又は前記第１の減少ボタンから前記第２の減少ボタンに向かうスワイプ操作が行われたときに、前記スワイプ操作である前記第２のタッチ操作に対応する前記第２の操作情報を有効と判定する
ことを特徴とする請求項１に記載のタッチパネル装置。
【請求項６】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定し、
前記操作部品は、回転操作が行われるダイヤルボタンを有し、
前記制御部は、前記ダイヤルボタンを前記閾値押圧力より大きい押圧値の押圧力で押圧しながら回転させて前記第２のタッチ操作が行われたときに、前記第２のタッチ操作に対応する前記第２の操作情報を有効と判定する
ことを特徴とするタッチパネル装置。
【請求項７】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定し、
前記操作部品は、複数の指で回転操作が行われるバルブを有し、
前記バルブは、初期位置を有し、
前記初期位置から一定回数の回転までの操作が前記第２のタッチ操作であり、前記一定回数以降の回転以前の操作が前記第１のタッチ操作であり、
前記制御部は、前記バルブを前記閾値押圧力より大きい押圧値の押圧力で押圧しながら回転させて前記第２のタッチ操作が行われたときに、前記第２のタッチ操作に対応する前記第２の操作情報を有効と判定する
ことを特徴とするタッチパネル装置。
【請求項８】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定し、
前記操作部品は、第１の位置と第２の位置の間で切り替わるレバーを有し、
前記制御部は、前記レバーを前記閾値押圧力より大きい押圧値の押圧力で押圧しながらスライドさせて前記第２のタッチ操作が行われたときに、又は、前記レバーを前記閾値押圧力より大きい押圧値の押圧力で押圧しながらスライドさせる操作を予め定められた規定回数行ったときに、前記第２のタッチ操作に対応する前記第２の操作情報を有効と判定する
ことを特徴とするタッチパネル装置。
【請求項９】
操作面を有し、前記操作面においてタッチ操作が行われた領域の状態を変化させるタッチパネルと、
前記操作面に加えられた押圧力に応じた圧力検出信号を出力する圧力センサ部と、
前記タッチパネルの前記状態に基づいて前記操作面における前記タッチ操作の座標を算出する制御部と、
を備え、
前記タッチ操作は、前記操作面に表示される操作部品を用いる第１のタッチ操作と、前記操作面に表示される操作部品を用いる第２のタッチ操作とを含み、
前記制御部は、
前記第１のタッチ操作が行われた場合、前記第１のタッチ操作に対応する第１の操作情報を有効と判定し、
前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、
前記第２のタッチ操作が行われたときに前記押圧値が前記閾値押圧力以下である場合、前記第２の操作情報を無効と判定し、
前記操作部品は、入状態と切状態の間で切り替わるブレーカスイッチを有し、
前記制御部は、前記ブレーカスイッチを前記閾値押圧力より大きい押圧値の押圧力で押圧しながら前記切状態から前記入状態にスライドさせて前記第２のタッチ操作が行われたときに、又は、前記ブレーカスイッチを前記閾値押圧力より大きい押圧値の押圧力で押圧しながら前記切状態から前記入状態にスライドさせる操作を予め定められた規定回数行ったときに、前記第２のタッチ操作に対応する前記第２の操作情報を有効と判定する
ことを特徴とするタッチパネル装置。
【請求項１０】
前記入状態から前記切状態にスライドさせる操作は、前記第１のタッチ操作である
ことを特徴とする請求項９に記載のタッチパネル装置。
【請求項１１】
前記操作部品は、前記ブレーカスイッチを囲い、閉位置と開位置との間でスライドするカバーをさらに有し、
前記制御部は、前記カバーが開位置のときに限り、前記ブレーカスイッチの操作を許可する
ことを特徴とする請求項９又は１０に記載のタッチパネル装置。
【手続補正２】
【補正対象書類名】明細書
【補正対象項目名】０００６
【補正方法】変更
【補正の内容】
【０００６】
本発明の一態様に係るタッチパネル装置は、操作面を有し、前記操作面においてタッチ操作が行われた領域の状態を変化させるタッチパネルと、前記操作面に加えられた押圧力に応じた圧力検出信号を出力する圧力センサ部と、前記タッチパネルの前記状態に基づいて前記操作面における前記タッチ操作の座標を算出する制御部と、を備え、前記タッチ操作は、前記操作面に表示される第１の操作部品を用いる第１のタッチ操作と、前記操作面に表示される第２の操作部品を用いる第２のタッチ操作とを含み、前記制御部は、前記第１のタッチ操作が行われた場合、前記第１のタッチ操作に対応する第１の操作情報を有効と判定し、前記第２のタッチ操作が行われたときに前記圧力検出信号が示す前記押圧力の押圧値が予め定められた閾値押圧力より大きい場合、前記第２のタッチ操作に対応する第２の操作情報を有効と判定し、前記第２のタッチ操作が行われたときに前記押圧値が前記閾値押圧力以下である場合、前記第２の操作情報を無効と判定し、前記操作部品は、スライドバーを有し、前記スライドバーは、長手方向が入力値に対応するバー部分と、前記バー部分に沿って移動するスライダとを有し、前記バー部分は、１段目部分と、２段目部分とを有し、前記操作部品は、前記１段目部分と前記２段目部分との間の境界値の位置の周囲に配置された固定領域をさらに有し、前記制御部は、前記固定領域をタッチした状態で、前記スライダを前記閾値押圧力より大きい押圧値の押圧力で押圧して前記第２のタッチ操作が行われたときに、前記第２のタッチ操作に対応する前記第２の操作情報を有効と判定することを特徴とする。
【国際調査報告】
2019150475.tif 000036
2019150475.tif 000037
2019150475.tif 000038
2019150475.tif 000039